(57)【要約】      （修正有）【課題】パワーユニットに内蔵されたモータを効果的に保護するガード部材を備えた電動二輪車を提供する。【解決手段】モータをケース５０の内部に収納してなるパワーユニットを有する電動二輪車において、モータは、その回転軸が車幅方向に指向すると共にケース５０の一側面ＰＲから車幅方向に突出するように配設する。モータの突出部分を覆ってケース５０の一側面ＰＲに取り付けられる有底円筒状のモータカバー３６と、モータカバー３６の車体前方から車体下方にかけてケース５０の一側面ＰＲから立設するように取り付けられるモータガード３７と、モータカバー３６の車体後方側でモータカバー３６の車幅方向端面とケース５０の一側面ＰＲとの間の位置に配設されるヒールガード３４とを具備する。足乗せステップ１６をケース５０の下面に取り付ける。【選択図】図５
2013071717.tif 000002
【特許請求の範囲】
【請求項１】
少なくともモータ（Ｍ）をケース（５０）の内部に収納してなるパワーユニット（Ｐ）を有する電動二輪車（１）において、
前記モータ（Ｍ）は、その回転軸（７５）が車幅方向に指向すると共に前記ケース（５０）の一側面（ＰＲ）から車幅方向に突出するように配設されており、
前記モータ（Ｍ）の突出部分を覆って前記ケース（５０）の一側面（ＰＲ）に取り付けられる有底円筒状のモータカバー（３６）と、
前記モータカバー（３６）の車体前方から車体下方にかけて、前記ケース（５０）の一側面（ＰＲ）から立設するように取り付けられるモータガード（３７）と、
前記モータカバー（３６）の車体後方側で、前記モータカバー（３６）の車幅方向端面と前記ケース（５０）の一側面（ＰＲ）との間の位置に配設されるヒールガード（３４）とを具備することを特徴とする電動二輪車。
【請求項２】
前記ケース（５０）の下面（ＰＢ）に取り付けられた足乗せステップ（１６）を備え、
前記足乗せステップ（１６）は、前記モータ（Ｍ）の車体後方側で前記ケース（５０）の車体下面に固定された基部（５９）から車幅方向外側に延出する構成とされ、
前記ヒールガード（３４）は、前記足乗せステップ（１６）の車体上方後方の位置に設けられていることを特徴とする請求項１に記載の電動二輪車。
【請求項３】
前記パワーユニット（Ｐ）は、前記車体フレーム（２）の車体前端部に固定されたヘッドパイプ（３）と、スイングアーム（１９）を前記車体フレーム（２）に揺動自在に支持するためのピボット軸（１８）との間の位置で前記車体フレーム（２）に支持されており、
前記モータ（Ｍ）に電力を供給するバッテリ（１３Ｆ，１３Ｒ）および制御装置としてのＰＤＵ（１４）は、前記パワーユニット（Ｐ）の車体前方上方の位置で前記車体フレーム（２）に支持されており、
前記ＰＤＵ（１４）からモータ（Ｍ）に電力を供給する高圧配線（５４）は、前記ＰＤＵ（１４）から延出し、前記バッテリ（１３Ｆ，１３Ｒ）の下方かつ後方を経由して、前記パワーユニット（Ｐ）のケース（５０）の車体前方上方に配索されることを特徴とする請求項１または２に記載の電動二輪車。
【請求項４】
前記バッテリ（１３Ｆ，１３Ｒ）は、前記車体フレーム（２）の下部に隣接配置されており、
前記ＰＤＵ（１４）は、前記バッテリ（１３Ｆ，１３Ｒ）の下部に隣接配置されていることを特徴とする請求項３に記載の電動二輪車。
【請求項５】
前記バッテリ（１３Ｆ，１３Ｒ）は、車体前後方向に並ぶ前側バッテリ（１３Ｆ）および後側バッテリ（１３Ｒ）とからなることを特徴とする請求請１ないし４のいずれかに記載の電動二輪車。
【請求項６】
前記モータカバー（３６）、前記モータガード（３７）および前記ヒールガード（３４）の車幅方向の側端面が、それぞれ、ほぼ面一となるように構成されていることを特徴とする請求項１ないし５のいずれかに記載の電動二輪車。
【請求項７】
前記モータ（Ｍ）に電力を供給する制御装置としてのＰＤＵ（１４ａ）を備え、
前記ＰＤＵ（１４ａ）が、車幅方向に突出した前記モータ（Ｍ）の車体後方側で、前記パワーユニット（Ｐ）の一側面（ＰＲ）と前記ヒールガード（３４）との間に配設されていることを特徴とする請求項１または２に記載の電動二輪車。
【請求項８】
前記ヒールガード（３４）の少なくとも一部は、前記ケース（５０）の一側面（ＰＲ）に取り付けられる支持台（３５）に支持されていることを特徴とする請求項１ないし６のいずれかに記載の電動二輪車。
【請求項９】
前記ヒールガード（３４）の少なくとも一部は、前記電動二輪車（１）の車体フレーム（２）のピボットプレート（５）に支持されていることを特徴とする請求項８に記載の電動二輪車。
【発明の詳細な説明】
【技術分野】
【０００１】
本発明は、電動二輪車に係り、特に、バッテリから供給される電力でモータを駆動して走行する電動二輪車に関する。
【背景技術】
【０００２】
従来から、モータが内蔵されたパワーユニットを車体フレームに取り付け、モータの回転駆動力を後輪に伝達して走行する電動二輪車が知られている。
【０００３】
特許文献１には、パワーユニット内のモータの回転駆動力を、車体フレームに揺動自在に軸支されるスイングアーム兼シャフトドライブ機構を介して、その後端に回転自在に取り付けられる後輪に伝達する電動二輪車が開示されている。この電動二輪車では、モータに走行時のはね石等の外力の影響が及ばないように、パワーユニットの車幅方向両側から車体下方にわたって湾曲するパイプ状のガード部材が設けられている。
【先行技術文献】
【特許文献】
【０００４】
【特許文献１】特開２００４−２１００７３号公報
【発明の概要】
【発明が解決しようとする課題】
【０００５】
ところで、特許文献１に記載された電動二輪車のパワーユニットは、モータの回転軸が車体前後方向に指向されており、かつ後輪への駆動力の伝達にシャフトドライブ機構が適用されていることで、その車幅方向寸法が比較的抑えられている。このため、ケース外表面の凹凸が少なく、車体を構成する部材（フレーム、バックステー）で覆うことでパワーユニットを保護することができる。
【０００６】
しかしながら、モータの回転軸を車幅方向に指向させたパワーユニットにおいては、駆動機構等を車幅方向に重ねる必要があり、さらに、車幅方向にモータが突出する等でその側面に凹凸が生じやすいため、特許文献１に記載されたような車体を構成する部材では単純に覆うことはできず、パワーユニットを保護することはできない。
【０００７】
本発明の目的は、上記従来技術の課題を解決し、パワーユニットに内蔵されたモータを効果的に保護するガード部材を備えた電動二輪車を提供することにある。
【課題を解決するための手段】
【０００８】
前記目的を達成するために、本発明は、少なくともモータ（Ｍ）をケース（５０）の内部に収納してなるパワーユニット（Ｐ）を有する電動二輪車（１）において、前記モータ（Ｍ）は、その回転軸（７５）が車幅方向に指向すると共に前記ケース（５０）の一側面（ＰＲ）から車幅方向に突出するように配設されており、前記モータ（Ｍ）の突出部分を覆って前記ケース（５０）の一側面（ＰＲ）に取り付けられる有底円筒状のモータカバー（３６）と、前記モータカバー（３６）の車体前方から車体下方にかけて、前記ケース（５０）の一側面（ＰＲ）から立設するように取り付けられるモータガード（３７）と、前記モータカバー（３６）の車体後方側で、前記モータカバー（３６）の車幅方向端面と前記ケース（５０）の一側面（ＰＲ）との間の位置に配設されるヒールガード（３４）とを具備する点に第１の特徴がある。
【０００９】
また、前記ケース（５０）の下面（ＰＢ）に取り付けられた足乗せステップ（１６）を備え、前記足乗せステップ（１６）は、前記モータ（Ｍ）の車体後方側で前記ケース（５０）の車体下面に固定された基部（５９）から車幅方向外側に延出する構成とされ、前記ヒールガード（３４）は、前記足乗せステップ（１６）の車体上方後方の位置に設けられている点に第２の特徴がある。
【００１０】
また、前記パワーユニット（Ｐ）は、前記車体フレーム（２）の車体前端部に固定されたヘッドパイプ（３）と、スイングアーム（１９）を前記車体フレーム（２）に揺動自在に支持するためのピボット軸（１８）との間の位置で前記車体フレーム（２）に支持されており、前記モータ（Ｍ）に電力を供給するバッテリ（１３Ｆ，１３Ｒ）および制御装置としてのＰＤＵ（１４）は、前記パワーユニット（Ｐ）の車体前方上方の位置で前記車体フレーム（２）に支持されており、前記ＰＤＵ（１４）からモータ（Ｍ）に電力を供給する高圧配線（５４）は、前記ＰＤＵ（１４）から延出し、前記バッテリ（１３Ｆ，１３Ｒ）の下方かつ後方を経由して、前記パワーユニット（Ｐ）のケース（５０）の車体前方上方に配索される点に第３の特徴がある。
【００１１】
また、前記バッテリ（１３Ｆ，１３Ｒ）は、前記車体フレーム（２）の下部に隣接配置されており、前記ＰＤＵ（１４）は、前記バッテリ（１３Ｆ，１３Ｒ）の下部に隣接配置されている点に第４の特徴がある。
【００１２】
また、前記バッテリ（１３Ｆ，１３Ｒ）は、車体前後方向に並ぶ前側バッテリ（１３Ｆ）および後側バッテリ（１３Ｒ）とからなる点に第５の特徴がある。
【００１３】
また、前記モータカバー（３６）、前記モータガード（３７）および前記ヒールガード（３４）の車幅方向の側端面が、それぞれ、ほぼ面一となるように構成されている点に第６の特徴がある。
【００１４】
また、前記モータ（Ｍ）に電力を供給する制御装置としてのＰＤＵ（１４ａ）を備え、前記ＰＤＵ（１４ａ）が、前記パワーユニット（Ｐ）の一側面（ＰＲ）と前記ヒールガード（３４）との間に配設されている点に第７の特徴がある。
【００１５】
また、前記ヒールガード（３４）の少なくとも一部は、前記ケース（５０）の一側面（ＰＲ）に取り付けられる支持台（３５）に支持されている点に第８の特徴がある。
【００１６】
さらに、前記ヒールガード（３４）の少なくとも一部は、前記電動二輪車（１）の車体フレーム（２）のピボットプレート（５）に支持されている点に第９の特徴がある。
【発明の効果】
【００１７】
第１の特徴によれば、モータは、その回転軸が車幅方向に指向すると共にケースの一側面から車幅方向に突出するように配設されており、足乗せステップは、ケースの下面に取り付けられており、モータの突出部分を覆ってケースの一側面に取り付けられる有底円筒状のモータカバーと、モータカバーの車体前方から車体下方にかけて、ケースの一側面から立設するように取り付けられるモータガードと、モータカバーの車体後方側で、モータカバーの車幅方向端面とケースの一側面との間の位置に配設されるヒールガードとを具備するので、モータカバー、モータガード、ヒールガードからなる３種のカバー部材によって、パワーユニットのケースから車幅方向に突出するモータの車体前方、車体下方および車体後方を保護することができる。これにより、モータの回転軸が車幅方向に指向するパワーユニットにおいて、車幅方向の寸法を増大させることなくモータを効果的に保護することが可能となる。
【００１８】
第２の特徴によれば、ケースの下面に取り付けられた足乗せステップを備え、足乗せステップは、モータの車体後方側でケースの車体下面に固定された基部から車幅方向外側に延出する構成とされ、ヒールガードは、足乗せステップの車体上方後方の位置に設けられているので、足乗せステップによってパワーユニットのケースの下面を保護することができる。また、足乗せステップに足を載せた際に、ケースの一側面とモータカバーの端部との間に形成される段差部分に乗員のかかとが入り込んでしまうことを防止できる。
【００１９】
第３の特徴によれば、パワーユニットは、車体フレームの車体前端部に固定されたヘッドパイプと、スイングアームを車体フレームに揺動自在に支持するためのピボット軸との間の位置で車体フレームに支持されており、モータに電力を供給するバッテリおよび制御装置としてのＰＤＵは、パワーユニットの車体前方上方の位置で車体フレームに支持されており、ＰＤＵからモータに電力を供給する高圧配線は、ＰＤＵから延出し、バッテリの下方かつ後方を経由して、パワーユニットのケースの車体前方上方に配索されるので、バッテリおよびＰＤＵがパワーユニットの車体前方上方に集中配置されることとなり、バッテリとＰＤＵとを接続する配線や、ＰＤＵとケースとを接続する配線を短くすることができ、高圧配線の長さを短縮することが可能となる。また、高圧配線がバッテリとパワーユニットとの間に配設されることで、高圧配線を外乱から保護できる。
【００２０】
第４の特徴によれば、バッテリは、車体フレームの下部に隣接配置されており、ＰＤＵは、バッテリの下部に隣接配置されているので、電動二輪車におけるマスの集中が図られると共に、高圧配線をより一層短くすることができる。
【００２１】
第５の特徴によれば、バッテリは、車体前後方向に並ぶ前側バッテリおよび後側バッテリとからなるので、車幅方向寸法を抑えながら大きなバッテリ容量を確保することができる。
【００２２】
第６の特徴によれば、モータカバー、モータガードおよびヒールガードの車幅方向の側端面が、それぞれ、ほぼ面一となるように構成されているので、外観性を向上させると共に、各ガード部材の継ぎ目に乗員の足が引っかかりにくく利便性が向上する。
【００２３】
第７の特徴によれば、モータに電力を供給する制御装置としてのＰＤＵを備え、ＰＤＵが、パワーユニットの一側面とヒールガードとの間に配設されているので、パワーユニットの一端面とヒールガードとの間に形成されるデッドスペースを有効活用してＰＤＵを配設すると共に、ヒールガードによってＰＤＵを保護することが可能となる。
【００２４】
第８の特徴によれば、ヒールガードの少なくとも一部は、ケースの一側面に取り付けられる支持台に支持されているので、ヒールガードの剛性が高められ、ヒールガードによってケースおよびモータをより一層保護しやすくなる。
【００２５】
第９の特徴によれば、ヒールガードの少なくとも一部は、電動二輪車の車体フレームのピボットプレートに支持されているので、ヒールガードをより強固に車体側に支持することが可能となる。
【図面の簡単な説明】
【００２６】
【図１】電動二輪車の左側面図である。
【図２】電動二輪車の斜視図である。
【図３】電動二輪車の左側面の一部拡大図である。
【図４】電動二輪車の右側面の一部拡大図である。
【図５】車体右前方から見たパワーユニット周辺の斜視図である。
【図６】車体右後方から見たパワーユニット周辺の斜視図である。
【図７】図４のＡ−Ａ線断面図である。
【図８】自動二輪車の下面図である。
【図９】本発明の第２実施形態に係るパワーユニットを車体右後方から見た斜視図である。
【発明を実施するための形態】
【００２７】
以下、図面を参照して本発明の好ましい実施の形態について詳細に説明する。図１は、本発明の一実施形態に係る電動二輪車１の左側面図である。また、図２は、電動二輪車１の斜視図である。電動二輪車１は、モータＭおよび減速機構等を含むパワーユニットＰを車体フレーム２に取り付け、該パワーユニットＰが発揮する回転駆動力を、チェーンドライブ機構を介して後輪ＷＲに伝達する構成を有する。
【００２８】
電動二輪車１の車体フレーム２の前端には、ステムシャフト３ａを回動自在に軸支するヘッドパイプ３が結合されている。ヘッドパイプ３から後方に伸びる車体フレーム２には、車体下方へ湾曲する部分にシートフレーム４が連結されており、その下方には、左右一対のピボットプレート５が連結されている。該ピボットプレート５には、スイングアーム１９を揺動自在に軸支するピボット軸１８が取り付けられている。
【００２９】
前輪ＷＦを回転自在に軸支する左右一対のフロントフォーク１１は、ステムシャフト３ａの上下に固定されたトップブリッジ９およびアンダブラケット１０によって支持されている。トップブリッジ９の上部にはアップタイプのハンドル６が固定されており、アンダブラケット１０の下部にはフロントフェンダ１２が固定されている。
【００３０】
車幅方向中央でトップブリッジ９の上面に固定されるハンドル６の両端部には、乗員が把持するハンドルグリップ２０が取り付けられている。車幅方向右側のスロットルグリップ２０は回動式のスロットル入力手段であり、その回動動作がスロットルケーブル７を介して、車体フレーム２の上部のスロットル開度センサ２６に伝達される。ハンドル６の車幅方向中央には、ＧＰＳ機能等を有する表示装置８が取り付けられている。
【００３１】
パワーユニットＰは、ピボット軸１８近傍の支持部２３および左右一対のハンガプレート２８を介して車体フレーム２に支持されている。パワーユニットＰの車幅方向左側には、出力軸８０（図７参照）に固定されたドライブスプロケット１５が配設されており、モータＭの回転駆動力は、ドライブスプロケット１５に巻き掛けられたドライブチェーン２０を介して、後輪ＷＲのドリブンスプロケット２１に伝達される。
【００３２】
スイングアーム１９には、ドライブチェーン２０の上部を覆うチェーンカバー３３が取り付けられている。スイングアーム１９は、ピボットプレート５のピボット軸１８によって車体フレーム２に揺動可能に軸支されると共に、リヤクッション２９を介して車体フレーム２の取付部２７から吊り下げられている。車幅方向右側のピボットプレート５には、リヤブレーキペダル１７が取り付けられている。
【００３３】
パワーユニットＰの車体前方上方で、かつ車体フレーム２の下部には、パワーユニットＰに電力を供給するバッテリ１３Ｆ，１３Ｒおよび供給電力の制御装置としてのＰＤＵ（パワー・デリバリー・ユニット）１４が配設されている。互いに同形状とされる前側バッテリ１３Ｆおよび後側バッテリ１３Ｒは、前後に並んで車体フレーム２の下部に近接配置されている。ＰＤＵ１４は、バッテリ１３Ｆ，１３Ｒより車体上下方向の寸法が小さい一方、バッテリ１３Ｆ，１３Ｒより車体前後方向および車幅方向の寸法が大きな略直方体とされ、パワーユニットＰの前方でバッテリ１３Ｆ，１３Ｒの下部に近接配置されている。
【００３４】
リヤフレーム４は、シート３０、リヤフェンダ３１およびリヤカバー３２で覆われている。シート３０の車体前方には、スロットル開度センサ２６および電装部品２５を覆う上部カバー２４が配設されており、車体フレーム２および前側バッテリ１３Ｆの側方にかけては、左右一対のサイドカバー２２が配設されている。
【００３５】
パワーユニットＰにおいて、モータＭの回転中心Ｃ１と、ドライブスプロケット１５の回転中心Ｃ２とは、車体前後方向にほぼ水平をなすように配設されている。パワーユニットＰの車幅方向右側には、車幅方向右側に突出するモータＭを覆う有底円筒状のモータカバー３６と、このモータカバー３６の車体前方から車体下方にかけて配設される湾曲板状のモータガード３７と、モータカバー３６の車体後方で支持台３５に支持される板状のヒールガード３４とが配設されている。本発明に係る電動二輪車１においては、モータカバー３６、モータガード３７およびヒールガード３４からなる３つの保護部材によってモータＭを保護するように構成されている。なお、パワーユニットＰの下面ＰＢ（図８参照）に取り付けられる左右一体の足乗せステップ１６は、この下面を保護する機能も有する。
【００３６】
図３は、電動二輪車１の左側面の一部拡大図である。前記したように、パワーユニットＰは、ピボット軸１８近傍の支持部２３と、その上方に設けられるハンガプレート２８とによって車体フレーム２に支持されている。略三角形状とされるハンガプレート２８は、２本のボルト４７で車体フレーム２に固定される一方、ボルト４７ａによってパワーユニットＰの上部に固定されている。
【００３７】
バッテリ１３Ｆ，１３Ｒは、取付ネジ４５によって車体フレーム２に固定されるバッテリステー４３に保持されている。ＰＤＵ１４は、バッテリステー４３の下部に取付ネジ４２で固定されるＰＤＵステー４１に保持されている。後側バッテリ１３Ｆとハンガプレート２８との間に形成されるスペースには、バッテリ１３ＦおよびＰＤＵ１４間、ＰＤＵ１４およびパワーユニットＰ間をそれぞれ接続する高圧配線４４が取り回されるほか、各配線を接続するコネクタ４６やヒューズ４８等が配設されている。本実施形態では、前後バッテリ１３Ｆ，１３Ｒ、ＰＤＵ１４およびパワーユニットＰがそれぞれ近接配置されるので、電動二輪車１のマスの集中が図られると共に、それぞれを接続する高圧配線の長さを短縮して伝達効率の向上が可能となる。
【００３８】
パワーユニットＰは、モータＭと同軸配置される遠心クラッチＣＬと、ドライブスプロケット１５と同軸配置される大径のプライマリドリブンギヤ４９とを有している。モータＭの回転駆動力は、遠心クラッチＣＬを介してプライマリドリブンギヤ４９からドライブスプロケット１５を経由して、ドライブチェーン２０に伝達される。パワーユニットＰの左側面ＰＬ（図示ハッチング部分）は略平坦な面とされ、この左側面ＰＬからは、回転中心Ｃ１の周囲の小さな突出部７７ａおよびドライブスプロケット１５のみが車幅方向左側に突出している。
【００３９】
なお、前側バッテリ１３Ｆの前方で車体フレーム２の下面には、イグニッションスイッチ４０が設けられている。また、リヤブレーキペダル１７は、車幅方向右側のピボットプレート５に設けられた支軸１７ａによって揺動自在に取り付けられている。
【００４０】
図４は、電動二輪車１の右側面の一部拡大図である。前記と同一符号は、同一または同等部分を示す。後側バッテリ１３とハンガプレート２８との間に設けられるコネクタ５３の下部には、モータＭに電力を供給するためにパワーユニットＰの内部に導かれる高圧配線５４が接続される。高圧配線５４は、パワーユニットＰの車体前方上方かつＰＤＵ１４との間の位置でパワーユニットＰの内部に挿入される。換言すれば、ＰＤＵ１４からモータＭに電力を供給する高圧配線５４は、ＰＤＵ１４から延出し、バッテリ１３Ｆ，１３Ｒの下方かつ後方を経由して、ケース５０の車体前方上方に配索されており、これにより、高圧配線５４がバッテリ１３Ｆ，１３ＲとパワーユニットＰとの間に配設され、高圧配線５４を外乱から保護することが可能となる。
【００４１】
パワーユニットＰの一側面としての右側面ＰＲ（図示ハッチング部分）は略平坦な面とされているが、この右側面ＰＲからは、モータＭを覆うモータカバー３６およびヒールガード３４を支持する略円柱状の支持台３５が、車幅方向右側に大きく突出している。ヒールガード３４は、２つの取付ネジ５６で支持台３５に固定されると共に、車体後方側の取付ネジ５６ａによってピボットプレート５に固定されている。
【００４２】
図５は、車体右前方から見たパワーユニットＰの周辺の斜視図である。また、図６は、車体右後方から見た同斜視図である。パワーユニットＰは、車幅方向中央のケース５０に対して、車幅方向左側にクラッチケース５１を取り付けると共に、車幅方向右側にモータカバー３６を取り付けることで構成されている。本実施形態では、さらに、パワーユニットＰの右側面ＰＲに、モータガード３７と、支持台３５を介してヒールガード３４が取付られることで、モータＭの保護および乗員の利便性向上が図られている。
【００４３】
具体的には、本実施形態に係るパワーユニットＰにおいては、モータＭの回転軸を車幅方向に指向させて配設するため、モータＭの多くの部分がケース５０の車幅方向右側に突出することとなる。この突出部分を覆うのが有底円筒状のモータカバー３６である。また、モータガード３７は、モータカバー３６の車体前方から車体下方を保護するように右側面ＰＲから立設するように取り付けられ、走行時のはね石等がモータカバー３６に接触しないように構成されている。
【００４４】
さらに、ヒールガード３４は、右側面ＰＲとモータカバー３６との間に生じる段差に、足乗せステップ１６に乗せた足のかかとが入り込むことを防ぐと共に、右側面ＰＲにはね石等が接触する可能性を低減することを可能とする。本実施形態では、ヒールガード３４は、その表面がモータカバー３６の右側面と略面一となるように配設されており、これにより、継ぎ目に足が引っかかりにくいと共に、外観性を向上させることができる。また、本実施形態では、ヒールガード３７の前方側がケース５０の右側面ＰＲに取り付けられる円柱状の支持台３５に支持されているので、ヒールガード３５の剛性が高められ、ヒールガード３７によってケース５０およびモータＭをより一層保護しやすくなる。なお、ヒールガード３４の支持台３５の形状は種々の変形が可能であり、例えば、各取付ネジ５６の位置に対応した細い２本の円柱部材等で構成してもよい。
【００４５】
図７は、図４のＡ−Ａ線断面図である。前記したように、パワーユニットＰは、車幅方向中央のケース５０に対して、車幅方向左側にクラッチケース５１を取り付けると共に、車幅方向右側にモータカバー３６を取り付けた構成を有する。
【００４６】
モータＭは、回転軸７５に固定されたロータ６３と、ケース５０に固定されたステータ６２とからなるインナーロータ式とされる。モータカバー３６は、円筒状のモータＭの大部分を覆うように、複数の取付ネジ３６ａを用いてケース５０に固定される。モータカバー３６がケース５０に固定されることにより、パワーユニットＰの車幅方向右側にモータＭが収納されるモータ室９０が形成されることとなる。
【００４７】
モータＭの回転軸７５は、ケース５０の車幅方向左側に嵌合された軸受６８およびモータカバー３６に嵌合された軸受６４によって回転自在に軸支されている。モータ室９０の車幅方向左側の側壁には、ホール素子等かなる回転速度センサがネジ６７によって固定されており、ロータ６３の図示左側の回転軸７５には、磁石等からなる被検知体６５を保持する保持具９２が固定されている。保持具９２とケース５０との間には、環状のシール部材９３が設けられている。
【００４８】
一方、パワーユニットＰの車幅方向左側には、クラッチケース５１がケース５０に固定されることにより、遠心クラッチＣＬおよび減速機構が収納される減速機室９１が形成されている。遠心クラッチＣＬは、クラッチシュー８２を保持するクラッチプレート７３と、クラッチシュー８２の外方を覆うように配設されるクラッチアウタ７１とから構成されている。円盤状のクラッチプレート７３は、回転軸７５の図示左端部にナット７７を用いて固定されている。クラッチプレート７３に保持されるクラッチシュー８２は、ウェイト７２に作用する遠心力に応じて径方向外側に移動して、クラッチアウタ７１の内周面に当接するように構成されている。
【００４９】
クラッチアウタ７１は、クラッチアウタホルダ７４から径方向外側に延出するフランジ部７０に対してリベット７６によって固定されている。クラッチアウタホルダ７４は、回転軸７４と相対回転可能に構成されており、その図示右側にはプライマリドライブギヤ６９が形成されている。そして、回転軸７５の回転速度が所定値に達して遠心クラッチＣＬが接続状態に切り替わると、プライマリドライブギヤ６９に回転駆動力が伝達されることとなる。
【００５０】
プライマリドライブギヤ６９に噛合するプライマリドリブンギヤ４９は、出力軸８０と一体的に構成されている。出力軸８０は、ケース５０に嵌合された軸受８１と、クラッチアウタ５１に嵌合された軸受７９とによって回転自在に軸支されている。
【００５１】
上記した構成によれば、プライマリドリブンギヤ４９は、回転軸７５の軸方向で遠心クラッチＣＬとモータＭとの間に挟まれるように配置されることとなり、遠心クラッチとモータとの間のスペースを有効活用してプライマリドリブンギヤを配設し、パワーユニットＰの車幅方向寸法を大幅に低減することが可能となる。
【００５２】
出力軸８０は、遠心クラッチＣＬの車体後方側でクラッチケース５１からその一端部が突出して、この一端部にドライブスプロケット１５が複数の取付ボルト７８を用いて固定されている。また、本実施形態では、ドライブスプロケット１５を可能な限り車体中央側に寄せて配設するため、出力軸８０の軸受７９を遠心クラッチＣＬの径方向外側の位置まで内側に追い込んでおり、これにより、ドライブスプロケット１５と遠心クラッチＣＬとの干渉を避けながら、パワーユニットＰの車幅方向の寸法を低減することができる。
【００５３】
さらに、プライマリドライブギヤ４９およびプライマリドリブンギヤ６９を、電動二輪車１の車体中心線Ｏ上に配設することにより、パワーユニットＰの車幅方向の重量バランスが取りやすく、車幅方向の重量バランスの適正化を容易としている。
【００５４】
図８は、自動二輪車１の下面図である。足乗せステップ１６は、車幅方向に延出するパイプ部と該パイプ部をパワーユニットＰに取り付けるための板状の基部５９とを一体に形成してなる。足乗せステップ１６は、基部５９を貫通する４本の取付ボルト６０を用いて、ケース５０の下面ＰＢに固定されている。足乗せステップ１６のパイプ部の両端には、可倒式の踏部１６ａが取り付けられる。
【００５５】
本実施形態では、パワーユニットＰの車幅方向寸法が、車体中心線Ｏを挟んで左右に概ね均等となるように構成されている。ケース５０を挟んで、車幅方向左側にクラッチケース５１が取り付けられ、一方、車幅方向右側には、モータカバー３６、モータガード３７およびヒールガード３４が取り付けられることで車幅方向の重量バランスも保たれる。
【００５６】
図９は、本発明の第２実施形態に係るパワーユニットＰを車体右後方から見た斜視図である。本実施形態では、ヒールガード３４の支持部材３５を廃すると共に、右側面ＰＲとヒールガード３４との間のスペースにＰＤＵ１４ａを配置するように構成されている。ＰＤＵ１４ａは、右側面ＰＲに固定され、ヒールガード３４は、ＰＤＵ１４ａに対して取付ネジ５６を用いて固定されている。この構成によれば、デッドスペースを有効活用すると共に、ヒールガード３４によってＰＤＵ１４ａの保護も図ることが可能となる。
【００５７】
なお、パワーユニットのケース、クラッチケース、モータカバー、モータガードおよびヒールガードの形状、モータ回転中心および出力軸回転中心の配置関係、バッテリおよびＰＤＵの形状、モータおよび遠心クラッチの構造、足乗せステップの形状等は、上記実施形態に限られず、種々の変更が可能である。本発明に係る上記構造は、電動二輪車に限られず、鞍乗型の三／四輪車等の各種電動車両に適用することが可能である。
【符号の説明】
【００５８】
１…電動二輪車、２…車体フレーム、１３Ｆ…前側バッテリ、１３Ｒ…後側バッテリ、１５…ドライブスプロケット、１６…足乗せステップ、３４…ヒールガード、３５…支持台、３６…モータカバー、３７…モータガード、４９…プライマリドリブンギヤ、５０…ケース、５１…クラッチケース、６９…プライマリドライブギヤ、７１…クラッチアウタ、７３…クラッチプレート、７４…クラッチアウタホルダ、７５…回転軸、７９，８１…軸受、Ｐ…パワーユニット、ＰＲ…右側面（一側面）、ＰＬ…左側面、ＰＢ…下面、ＣＬ…遠心クラッチ
【図１】
2013071717.tif 000003
【図２】
2013071717.tif 000004
【図３】
2013071717.tif 000005
【図４】
2013071717.tif 000006
【図５】
2013071717.tif 000007
【図６】
2013071717.tif 000008
【図７】
2013071717.tif 000009
【図８】
2013071717.tif 000010
【図９】
2013071717.tif 000011